(57)【要約】【課題】コンタクトとこのコンタクトを収容する導電性ホルダとの接触箇所が減らないようにすることができるコネクタを提供する。【解決手段】コネクタ１は、コンタクト２と、このコンタクト２が収容される導電性ホルダ３とを備える。コンタクト２は、第１ブスバー５１を受け容れる受容部２１と、この受容部２１が受け容れた第１ブスバー５１を挟んだ状態で支持する第１接触部２２と、導電性ホルダ３の相対する２つの内面にそれぞれ接触する複数の第２接触部２３とを有する。第１接触部２２は、所定の通電電流値に対応する複数の一方側第１接点部２２ａ１と、この複数の一方側第１接点部２２ａ１と対向し、所定の通電電流値に対応する複数の他方側第１接点部２２ａ２とを有する。導電性ホルダ３は、コンタクト２を揺動可能に収容するコンタクト収容部３１と、第２ブスバー５２が接続される接続部３２とを有する。【選択図】図２
2013218837.tif 000002
【特許請求の範囲】
【請求項１】
第１接続対象物と第２接続対象物とを電気的に接続するコネクタにおいて、
コンタクトと、このコンタクトが収容される導電性ホルダとを備え、
前記導電性ホルダは、前記コンタクトを揺動可能に収容するコンタクト収容部と、前記第２接続対象物が接続される接続部とを有し、
前記コンタクトは、前記第１接続対象物を受け容れる受容部と、この受容部が受け容れた前記第１接続対象物を挟んだ状態で支持する第１接触部と、前記コンタクト収容部の相対する内面に接触する第２接触部とを有し、
前記第１接触部は、所定の通電電流値に対応する複数の一方側第１接点部と、この複数の一方側第１接点部と対向し、前記所定の通電電流値に対応する複数の他方側第１接点部とを有し、
前記第２接触部は、前記所定の通電電流値に対応する複数の一方側第２接点部と、この複数の一方側第２接点部と対向し、前記所定の通電電流値に対応する複数の他方側第２接点部とを有する
ことを特徴とするコネクタ。
【請求項２】
第１接続対象物と第２接続対象物とを電気的に接続するコネクタにおいて、
コンタクトと、このコンタクトが収容される導電性ホルダとを備え、
前記導電性ホルダは、前記コンタクトを揺動可能に収容するコンタクト収容部と、前記第２接続対象物が接続される接続部とを有し、
前記コンタクトは、前記第１接続対象物を受け容れる受容部と、この受容部が受け容れた前記第１接続対象物を挟んだ状態で支持する第１接触部と、前記コンタクト収容部の相対する内面に接触する第２接触部とを有し、
前記第１接触部は、所定の通電電流値に対応する第１の所定幅を有する一方側第１接点部と、この一方側第１接点部と対向し、前記一方側第１接点部の幅と同等の幅を有する他方側第１接点部とを有し、
前記第２接触部は、前記所定の通電電流値に対応する第２の所定幅を有する一方側第２接点部と、この一方側第２接点部と対向し、前記一方側第２接点部の幅と同等の幅を有する他方側第２接点部とを有する
ことを特徴とするコネクタ。
【請求項３】
前記導電性ホルダ及び前記コンタクトの少なくとも一方に、前記第１接続対象物が前記コンタクト収容部に挿入される挿入方向へ前記コンタクトが移動するのを制限する第１制限部が設けられていることを特徴とする請求項１又は２記載のコネクタ。
【請求項４】
前記第１制限部が、前記コンタクト収容部内に突出して前記コンタクトの移動を阻止する突出部であることを特徴とする請求項３記載のコネクタ。
【請求項５】
前記導電性ホルダ及び前記コンタクトの少なくとも一方に、前記第１接続対象物が前記コンタクト収容部に挿入される挿入方向と反対方向へ前記コンタクトが移動するのを制限する第２制限部が設けられていることを特徴とする請求項１〜４のいずれか１項記載のコネクタ。
【請求項６】
前記第２制限部が、前記コンタクト収容部の前端側に位置する接続対象物挿入口に突出して前記コンタクトの移動を阻止する突出部であることを特徴とする請求項５記載のコネクタ。
【請求項７】
前記第２制限部が、前記コンタクトに設けられた突出部と、前記コンタクト収容部に設けられ、前記突出部を受け容れて前記コンタクトの移動を阻止する孔とで構成されていることを特徴とする請求項５記載のコネクタ。
【請求項８】
前記コンタクト収容部が筒状であることを特徴とする請求項１〜７のいずれか１項記載のコネクタ。
【請求項９】
前記コンタクト収容部に、その接続対象物挿入口から前記第１接触部よりも後方へ延びるとともに、前記コンタクト収容部の幅方向で対向する一対の切欠きが設けられていることを特徴とする請求項８記載のコネクタ。
【請求項１０】
前記接続部が平板部を有し、この平板部にボルト通し孔が設けられていることを特徴とする請求項１〜９のいずれか１項記載のコネクタ。
【請求項１１】
前記導電性ホルダの底面に、前記第２接続対象物を位置決めする位置決め用突起部が設けられていることを特徴とする請求項１〜１０のいずれか１項記載のコネクタ。
【発明の詳細な説明】
【技術分野】
【０００１】
この発明はコネクタに関する。
【背景技術】
【０００２】
従来、図３０、図３１に示すように、後部に電線を接続してハウジングに収容される端子本体９０２と、この端子本体９０２の内部に嵌合されて平刃状接触部９０１に対する導電接触部となる導電接触体９０３とで構成される接続端子が知られている(下記特許文献１参照)。この接続端子を図３０、図３１に基づいて説明する。なお、図３０、図３１はそれぞれ下記特許文献１の図１、図３に対応する。但し、図中の符号は変更され、一部の符号は削除されている。
【０００３】
端子本体９０２と導電接触体９０３とはそれぞれ１枚の肉厚の導電金属板から加工されている。
【０００４】
端子本体９０２は、導電接触体９０３を電気的接続可能に収容する角筒状の端子接続部９０４と、この端子接続部９０４から後方に延在して電線を圧着するＵ字状の電線圧着部９０５とを有する。
【０００５】
導電接触体９０３は、端子接続部９０４内の前部に嵌合される第１の枠部９１２と、端子接続部９０４内の後部に嵌合される第２の枠部９１３と、第１、第２の枠部９１２，９１３の天板９１２ａ，９１３ａを連結する複数の第１の可撓接片部９１５と、第１、第２の枠部９１２，９１３の底板９１２ｂ，９１３ｂを連結する複数の第２の可撓接片部９１７とを有する。第１の可撓接片部９１５は平刃状接触部９０１の上面に圧接し得るように下方に湾曲し、第２の可撓接片部９１７は平刃状接触部９０１の下面に圧接し得るように上方に湾曲している。第１の枠部９１２の側板９１２ｃ，９１２ｄには、側方に張り出す突起片９１８，９１９がそれぞれ設けられている。第２の枠部９１３の側板９１３ｃ，９１３ｄには、側方に張り出す突起片９２０，９２１がそれぞれ設けられている。
【０００６】
第１、第２の枠部９１２，９１３の天板９１２ａ，９１３ａは端子接続部９０４の天板９３１に接触し、第１、第２の枠部９１２，９１３の底板９１２ｂ，９１３ｂは端子接続部９０４の底板９３３に接触している（図３０、図３１参照）。
【０００７】
端子接続部９０４の後部には、天板９３１と底板９３３とから相互に接近するように突出し、平刃状接触部９０１を挟持する第１の挟持部９３６，９３７がそれぞれ設けられている。
【０００８】
端子接続部９０４の前部には、天板９３１と底板９３３とから相互に接近するように突出し、平刃状接触部９０１を挟持する第２の挟持部９３８，９３９がそれぞれ設けられている。
【０００９】
端子接続部９０４の中間部（第１の挟持部９３６，９３７と第２の挟持部９３８，９３９との間）には、天板９３１と底板９３３とから相互に接近するように突出する規制部９３４，９３５が設けられている。規制部９３４，９３５は第１、第２の可撓接片部９１５，９１７の近傍まで突出している。
【００１０】
平刃状接触部９０１が端子本体９０２の端子接続部９０４に挿入されると、平刃状接触部１は複数の第１の可撓接片部９１５と複数の第２の可撓接片部９１７とで挟持され、突起片９１８〜９２１が端子接続部９０４の左右の側板９３２，９３２にそれぞれ圧接する。
【００１１】
平刃状接触部９０１を端子本体９０２の端子接続部９０４に挿入したとき、導電接触体９０３の後方への所定以上の移動は第１の挟持部９３６，９３７によって規制される。これに対し、平刃状接触部９０１を端子本体９０２の端子接続部９０４から引き抜くとき、導電接触体９０３の前方への所定以上の移動は第２の挟持部９３８，９３９によって規制される。
【００１２】
また、第１、第２の可撓接片部９１５，９１７の過剰な変形は規制部９３４，９３５によって規制される。
【先行技術文献】
【特許文献】
【００１３】
【特許文献１】特開２００２−１００４３０号公報（段落０００６、０００７、０００９〜００１５、図１、図３等）
【発明の概要】
【発明が解決しようとする課題】
【００１４】
上述の接続端子では、平刃状接触部９０１の位置と端子本体９０２の端子接続部９０４の位置とが上下方向でずれている状態で、平刃状接触部９０１が端子本体９０２の端子接続部９０４に挿入されたり、平刃状接触部９０１が端子本体９０２の端子接続部９０４に斜めに挿入されたりすると、平刃状接触部９０１は第１の可撓接片部９１５と第２の可撓接片部９１７との一方だけに接触することがあるため、平刃状接触部９０１と導電接触体９０３の第１、第２の可撓接片部９１５，９１７との間の接触箇所が減り、通電電流値が小さくなる。
【００１５】
この発明はこのような事情に鑑みてなされたもので、その課題は、コンタクトとこのコンタクトに接触する第１接続対象物との接触箇所が減らないようにすることができるコネクタを提供することである。
【課題を解決するための手段】
【００１６】
上述の課題を解決するため請求項１記載の発明は、第１接続対象物と第２接続対象物とを電気的に接続するコネクタにおいて、コンタクトと、このコンタクトが収容される導電性ホルダとを備え、前記導電性ホルダは、前記コンタクトを揺動可能に収容するコンタクト収容部と、前記第２接続対象物が接続される接続部とを有し、前記コンタクトは、前記第１接続対象物を受け容れる受容部と、この受容部が受け容れた前記第１接続対象物を挟んだ状態で支持する第１接触部と、前記コンタクト収容部の相対する内面に接触する第２接触部とを有し、前記第１接触部は、所定の通電電流値に対応する複数の一方側第１接点部と、この複数の一方側第１接点部と対向し、前記所定の通電電流値に対応する複数の他方側第１接点部とを有し、前記第２接触部は、前記所定の通電電流値に対応する複数の一方側第２接点部と、この複数の一方側第２接点部と対向し、前記所定の通電電流値に対応する複数の他方側第２接点部とを有することを特徴とする。
【００１７】
請求項２記載の発明は、第１接続対象物と第２接続対象物とを電気的に接続するコネクタにおいて、コンタクトと、このコンタクトが収容される導電性ホルダとを備え、前記導電性ホルダは、前記コンタクトを揺動可能に収容するコンタクト収容部と、前記第２接続対象物が接続される接続部とを有し、前記コンタクトは、前記第１接続対象物を受け容れる受容部と、この受容部が受け容れた前記第１接続対象物を挟んだ状態で支持する第１接触部と、前記コンタクト収容部の相対する内面に接触する第２接触部とを有し、前記第１接触部は、所定の通電電流値に対応する第１の所定幅を有する一方側第１接点部と、この一方側第１接点部と対向し、前記一方側第１接点部の幅と同等の幅を有する他方側第１接点部とを有し、前記第２接触部は、前記所定の通電電流値に対応する第２の所定幅を有する一方側第２接点部と、この一方側第２接点部と対向し、前記一方側第２接点部の幅と同等の幅を有する他方側第２接点部とを有することを特徴とする。
【００１８】
請求項３記載の発明は、請求項１又は２記載のコネクタにおいて、前記導電性ホルダ及び前記コンタクトの少なくとも一方に、前記第１接続対象物が前記コンタクト収容部に挿入される挿入方向へ前記コンタクトが移動するのを制限する第１制限部が設けられていることを特徴とする。
【００１９】
請求項４記載の発明は、請求項３記載のコネクタにおいて、前記第１制限部が、前記コンタクト収容部内に突出して前記コンタクトの移動を阻止する突出部であることを特徴とする。
【００２０】
請求項５記載の発明は、請求項１〜４のいずれか１項記載のコネクタにおいて、前記導電性ホルダ及び前記コンタクトの少なくとも一方に、前記第１接続対象物が前記コンタクト収容部に挿入される挿入方向と反対方向へ前記コンタクトが移動するのを制限する第２制限部が設けられていることを特徴とする。
【００２１】
請求項６記載の発明は、請求項５記載のコネクタにおいて、前記第２制限部が、前記コンタクト収容部の前端側に位置する接続対象物挿入口に突出して前記コンタクトの移動を阻止する突出部であることを特徴とする。
【００２２】
請求項７記載の発明は、請求項５記載のコネクタにおいて、前記第２制限部が、前記コンタクトに設けられた突出部と、前記コンタクト収容部に設けられ、前記突出部を受け容れて前記コンタクトの移動を阻止する孔とで構成されていることを特徴とする。
【００２３】
請求項８記載の発明は、請求項１〜７のいずれか１項記載のコネクタにおいて、前記コンタクト収容部が筒状であることを特徴とする
【００２４】
請求項９記載の発明は、請求項８記載のコネクタにおいて、前記コンタクト収容部に、その接続対象物挿入口から前記第１接触部よりも後方へ延びるとともに、前記コンタクト収容部の幅方向で対向する一対の切欠きが設けられていることを特徴とする。
【００２５】
請求項１０記載の発明は、請求項１〜９のいずれか１項記載のコネクタにおいて、前記接続部が平板部を有し、この平板部にボルト通し孔が設けられていることを特徴とする。
【００２６】
請求項１１記載の発明は、請求項１〜１０のいずれか１項記載のコネクタにおいて、前記導電性ホルダの底面に、前記第２接続対象物を位置決めする位置決め用突起部が設けられていることを特徴とする。
【発明の効果】
【００２７】
この発明によれば、コンタクトとこのコンタクトに接触する第１接続対象物との接触箇所が減らないようにすることができる。
【図面の簡単な説明】
【００２８】
【図１】図１はこの発明の第１実施形態に係るコネクタの斜視図である。
【図２】図２は図１に示すコネクタの分解斜視図である。
【図３】図３は図１に示すコネクタに第１ブスバーを挿入する前の状態を示す斜視図である。
【図４】図４は図１に示すコネクタに第１ブスバーを挿入する前の状態を示す断面図である。
【図５】図５は図１に示すコネクタに第１ブスバーを挿入した状態を示す斜視図である。
【図６】図６は図１に示すコネクタに第１ブスバーを挿入した状態を示す断面図である。
【図７】図７は図１に示すコネクタに挿入された第１ブスバーが下方にずれている状態を示す断面図である。
【図８】図８は図１に示すコネクタに第１ブスバーをその短手方向に沿って挿入する前の状態を示す斜視図である。
【図９】図９は図１に示すコネクタに第１ブスバーをその短手方向に沿って挿入した状態を示す斜視図である。
【図１０】図１０はこの発明の第２実施形態に係るコネクタの斜視図である。
【図１１】図１１は図１０に示すコネクタの組立前の斜視図である。
【図１２】図１２は図１１に示すコネクタの導電性ホルダにコンタクトを収容する前の状態を示す断面図である。
【図１３】図１３は図１１に示すコネクタの導電性ホルダにコンタクトを収容し、突出部を折り曲げた状態を示す断面図である。
【図１４】図１４は図１１に示すコネクタに第１ブスバーを挿入した状態を示す断面図である。
【図１５】図１５はこの発明の第３実施形態に係るコネクタの斜視図である。
【図１６】図１６は図１５に示すコネクタの分解斜視図である。
【図１７】図１７は図１５に示すコネクタに第１ブスバーを挿入する前の状態を示す斜視図である。
【図１８】図１８は図１５に示すコネクタに第１ブスバーを挿入する前の状態を示す断面図である。
【図１９】図１９は図１５に示すコネクタに第１ブスバーを挿入した状態を示す斜視図である。
【図２０】図２０は図１５に示すコネクタに第１ブスバーを挿入した状態を示す断面図である。
【図２１】図２１は図１５に示すコネクタに挿入された第１ブスバーが上方にずれている状態を示す断面図である。
【図２２】図２２は図１９のXXII-XXIIに沿う断面図である。
【図２３】図２３は図１５に示すコネクタに挿入された第１ブスバーが左右方向でずれている状態を示す断面図である。
【図２４】図２４は図１５に示すコネクタの接続部にケーブルを接続した状態を示す斜視図である。
【図２５】図２５は図１５に示すコネクタの変形例を示す斜視図である。
【図２６】図２６はこの発明の第４実施形態に係るコネクタの斜視図である。
【図２７】図２７は図２６に示すコネクタの分解斜視図である。
【図２８】図２８はこの発明の第５実施形態に係るコネクタの斜視図である。
【図２９】図２９は図２８に示すコネクタの分解斜視図である。
【図３０】図３０は従来の接続端子の縦断面図である。
【図３１】図３１は図３０に示す接続端子の導電接触体の斜視図である。
【発明を実施するための形態】
【００２９】
以下、この発明の実施の形態を図面に基づいて説明する。
【００３０】
まず、この発明の第１実施形態のコネクタを図１〜図９に基づいて説明する。
【００３１】
図１〜図６に示すように、第１実施形態のコネクタ１はコンタクト２と導電性ホルダ３とを備えている。コネクタ１は第１ブスバー（第１接続対象物）５１と第２ブスバー（第２接続対象物）５２とを電気的に接続する大電流用のコネクタである（図３参照）。
【００３２】
コンタクト２は受容部２１と第１接触部２２と第２接触部２３とを有する。コンタクト２は導電性及び弾性を有する金属板に打抜き加工及び曲げ加工を施すことによって形成されている。
【００３３】
第１接触部２２は、４つの一方側第１ばね部２２ｂ１と、この４つの一方側第１ばね部２２ｂ１と上下方向ＤＵでそれぞれ対向する４つの他方側第１ばね部２２ｂ２と、４つの一方側第１ばね部２２ｂ１にそれぞれ連なる４つの一方側第１接点部２２ａ１と、４つの他方側第１ばね部２２ｂ２にそれぞれ連なる４つの他方側第１接点部２２ａ２とを有する。４つの一方側第１接点部２２ａ１と４つの他方側第１接点部２２ａ２とは上下方向ＤＵで対向する。一方側第１ばね部２２ｂ１と他方側第１ばね部２２ｂ２とは連結部２１ｉに向かって互いに近づくように延びている。４つの一方側第１接点部２２ａ１と４つの他方側第１接点部２２ａ２とはそれぞれ左右方向ＤＬに沿って配列されている。一方側第１ばね部２２ｂ１、他方側第１ばね部２２ｂ２、一方側第１接点部２２ａ１、他方側第１接点部２２ａ２のそれぞれの数は、コネクタ１の所定の通電電流値に応じて決定される。
【００３４】
受容部２１は第１ブスバー５１を受け容れる。受容部２１の断面形状はほぼＶ字形又はほぼＵ字形である（図１２参照）。図２、図４に示すように、受容部２１は下片部２１ｇと上片部２１ｈと連結部２１ｉとを有する。下片部２１ｇ、上片部２１ｈ、連結部２１ｉはいずれも矩形の平板状である。連結部２１ｉは下片部２１ｇと上片部２１ｈとを連結する。なお、図４のコネクタ１に向かって左がコネクタ１の前、右がコネクタ１の後、上がコネクタ１の上、下がコネクタ１の下である。
【００３５】
第２接触部２３は、下片部２１ｇの前端にそれぞれ連なる４つの一方側第２ばね部２３ｂ１と、上片部２１ｈの前端にそれぞれ連なる４つの他方側第２ばね部２３ｂ２と、４つの一方側第２ばね部２３ｂ１にそれぞれ連なる４つの一方側第２接点部２３ａ１と、４つの他方側第２ばね部２３ｂ２にそれぞれ連なる４つの他方側第２接点部２３ａ２とを有する。一方側第２接点部２３ａ１は一方側第２ばね部２３ｂ１に連なり、他方側第２接点部２３ａ２は他方側第２ばね部２３ｂ２に連なる。４つの一方側第２接点部２３ａ１と４つの他方側第２接点部２３ａ２とは上下方向ＤＵで対向する。一方側第２ばね部２３ｂ１、他方側第２ばね部２３ｂ２、一方側第２接点部２３ａ１、他方側第２接点部２３ａ２のそれぞれの数は、コネクタ１の所定の通電電流値に応じて決定される。
【００３６】
導電性ホルダ３はコンタクト収容部３１と接続部３２とを有する。導電性ホルダ３は導電性を有する金属板に打抜き加工及び曲げ加工を施すことによって形成されている。
【００３７】
コンタクト収容部３１は２つの切欠き３１ｇを有する角筒状である（図２参照）。コンタクト収容部３１の前端側に接続対象物挿入口３１ｊが位置する。コンタクト収容部３１は下板部３１ａと２つの側板部３１ｂと上板部３１ｃとを有する。下板部３１ａ、２つの側板部３１ｂ、上板部３１ｃはいずれも矩形である。２つの側板部３１ｂは下板部３１ａの両側部にそれぞれ連なる。２つの側板部３１ｂは下板部３１ａに対してそれぞれほぼ直角に折り曲げられている。２つの側板部３１ｂにはそれぞれ切欠き３１ｇが設けられている。切欠き３１ｇは接続対象物挿入口３１ｊからコンタクト２の連結部２１ｉよりも後方まで延びている（図４参照）。一方の側板部３１ｂに設けられた切欠き３１ｇと他方の側板部３１ｂに設けられた切欠き３１ｇとはコネクタ１の左右方向ＤＬ（図２参照）で対向している。この実施形態では、左右方向ＤＬとコンタクト収容部３１の幅方向とが一致している（図２参照）。切欠き３１ｇの後端は図４に示すように第１接触部２２よりも後方に位置する。上板部３１ｃは下板部３１ａとほぼ平行である。上板部３１ｃの中央部には、図２に示すように挿入方向ＤＩ（第１ブスバー５１をコネクタ１のコンタクト収容部３１に挿入する方向）へ延びる合わせ目３１ｋがある。上板部３１ｃの両側部は２つの側板部３１ｂの上端にそれぞれ連なる。
【００３８】
側板部３１ｂには突出部（第１制限部）３１ｅが設けられている（図２参照）。突出部３１ｅはコンタクト収容部３１内に突出するように折り曲げられている。突出部３１ｅは切欠き３１ｇの後端側に位置する。
【００３９】
下板部３１ａの前端には突出部（第２制限部）３１ｈが設けられている（図４参照）。突出部３１ｈは接続対象物挿入口３１ｊに突出するように折り曲げられている。
【００４０】
上板部３１ｃの前端には２つの突出部（第２制限部）３１ｉがそれぞれ設けられている（図４参照）。２つの突出部３１ｉは接続対象物挿入口３１ｊに突出するようにそれぞれ折り曲げられている。
【００４１】
接続部３２の断面形状はほぼＵ字状である。接続部３２は平板部３２ａと平板部３２ａの両側部に連なる２つの側板部３３とを有する。平板部３２ａの前端はコンタクト収容部３１の下板部３１ａに連なる。平板部３２ａにはボルト５３を通すためのボルト通し孔３２ｂが設けられている。平板部３２ａにはボルト５３、ナット５４によって第２ブスバー５２が接続されている（図３、図４参照）。２つの側板部３３は平板部３２ａに対してほぼ直角にそれぞれ折れ曲がっている。２つの側板部３３の前端はコンタクト収容部３１の２つの側板部３１ｂにそれぞれ連なる。
【００４２】
コンタクト２を導電性ホルダ３に組み付けるには、図２に示すように、第１ブスバー５１の挿入方向ＤＩに沿ってコンタクト２を導電性ホルダ３のコンタクト収容部３１に挿入すればよい。
【００４３】
コンタクト２の一方側第２接点部２３ａ１と他方側第２接点部２３ａ２との間隔は、導電性ホルダ３のコンタクト収容部３１の突出部３１ｈと突出部３１ｉとの間隔よりも大きい。しかし、コンタクト２を導電性ホルダ３のコンタクト収容部３１に挿入するとき、コンタクト２の一方側第２ばね部２３ｂ１と他方側第２ばね部２３ｂ２とが導電性ホルダ３の突出部３１ｈ，３１ｉによって押されてコンタクト２が圧縮されるので、コンタクト２は接続対象物挿入口３１ｊを通過できる。
【００４４】
コンタクト２が接続対象物挿入口３１ｊを通過して導電性ホルダ３のコンタクト収容部３１に収容されると、コンタクト２は上下方向ＤＵで圧縮された状態にあるので、コンタクト２の一方側第２接点部２３ａ１と他方側第２接点部２３ａ２とはコンタクト収容部３１の下板部３１ａと上板部３１ｃとにそれぞれ接触する。コンタクト収容部３１内に収容されたコンタクト２は揺動可能である。この実施形態では、コンタクト２は挿入方向ＤＩと平行な前後方向へわずかに移動可能であるとともに、左右方向ＤＬと平行な軸周りへ回転可能である（図７参照）。
【００４５】
図３、図４、図５、図６に示すように、コネクタ１の導電性ホルダ３にボルト５３とナット５４とによって接続された第２ブスバー５２に、第１ブスバー５１を電気的に接続するには、第１ブスバー５１をコネクタ１の正面から導電性ホルダ３のコンタクト収容部３１に挿入すればよい（このとき図５、図６に示すように第１ブスバー５１の長手方向と挿入方向ＤＩとは平行である。）。
【００４６】
このとき、コンタクト２は第１ブスバー５１とともに導電性ホルダ３のコンタクト収容部３１から挿入方向ＤＩへ移動しようとするが、コンタクト２の連結部２１ｉが突出部３１ｅに突き当たるので、コンタクト２が導電性ホルダ３のコンタクト収容部３１から抜けない。
【００４７】
コンタクト２の受容部２１に挿入された第１ブスバー５１は一方側第１接点部２２ａ１と他方側第１接点部２２ａ２とで挟まれた状態で支持され、コンタクト２及び導電性ホルダ３を介して第１ブスバー５１が第２ブスバー５２に電気的に接続される。
【００４８】
第１ブスバー５１をコネクタ１から引き抜くとき、コンタクト２は第１ブスバー５１とともに導電性ホルダ３のコンタクト収容部３１から挿入方向ＤＩと反対方向へ移動しようとするが、コンタクト２の第２接触部２３が導電性ホルダ３の突出部３１ｈ，３１ｉの少なくとも一方に突き当たるので、コンタクト２が導電性ホルダ３のコンタクト収容部３１から抜けない。
【００４９】
図７に示すように、コネクタ１に対する第１ブスバー５１の位置が標準位置（図６に示す第１ブスバー５１の位置）よりも下方へずれている状態で、第１ブスバー５１がコンタクト２の受容部２１に挿入されると、コンタクト２の一方側第１接点部２２ａ１が第１ブスバー５１によって押され、コンタクト２がコンタクト収容部３１内で回転する。その結果、第１ブスバー５１の位置ずれが吸収され、第１ブスバー５１の上下方向ＤＵの位置ずれがないときと同様に、他方側第１接点部２２ａ２は第１ブスバー５１に確実に接触し、一方側第１ばね部２２ｂ１は塑性変形せず、一方側第１接点部２２ａ１は第１ブスバー５１に確実に接触する。
【００５０】
上述のように第１ブスバー５１の長手方向が第１ブスバー５１の挿入方向ＤＩに平行な状態で、第１ブスバー５１をコネクタ１に挿入した（図３、図５参照）。しかし、この実施形態では、導電性ホルダ３の側板部３１ｂに切欠き３１ｇが設けられているので、図８、図９に示すように、第１ブスバー５１の長手方向が挿入方向ＤＩと直交する状態で、第１ブスバー５１をコネクタ１に挿入することができる。
【００５１】
この実施形態によれば、コネクタ１に対して第１ブスバー５１が上下方向ＤＵでずれていても、コンタクト２が揺動して第１ブスバー５１の位置ずれが吸収され、コンタクト２と第１ブスバー５１との接触箇所が減少しないので、通電電流値が小さくならない。
【００５２】
また、複数の一方側第１接点部２２ａ１、複数の他方側第１接点部２２ａ２等を有する１つのコンタクト２と、このコンタクト２を収容する１つの導電性ホルダ３とでコネクタ１を構成したので、コネクタ１の部品点数が少なく、コネクタ１の部品の管理やコネクタ１の組立が容易である。
【００５３】
更に、導電性ホルダ３の側板部３１ｂに切欠き３１ｇが設けられているので、図８、図９に示すように、第１ブスバー５１の長手方向が挿入方向ＤＩと直交する状態で第１ブスバー５１をコネクタ１に挿入することもできる。したがって、例えばコネクタ１の前方に、第１ブスバー５１の長手方向と挿入方向ＤＩとを平行にした状態（図３、図５に示す状態）で第１ブスバー５１をコネクタ１に挿入するスペースがない場合でも、第１ブスバー５１をコネクタ１に挿入することができる。
【００５４】
次に、この発明の第２実施形態のコネクタ２０１を図１０〜図１４に基づいて説明する。
【００５５】
第１実施形態と共通する部分については同一符号を付してその説明を省略する。以下、第１実施形態との主な相違部分についてだけ説明する。
【００５６】
第２実施形態のコネクタ２０１では、導電性ホルダ２０３のコンタクト収容部２３１の下板部２３１ａの前端に突出部（第２制限部）２３１ｈが連なる。
【００５７】
コンタクト収容部２３１の上板部２３１ｃの前端には２つの突出部（第２制限部）２３１ｉがそれぞれ連なる。
【００５８】
突出部２３１ｈ，２３１ｉは、コンタクト２をコンタクト収容部２３１に挿入する前、挿入方向ＤＩに沿って延びている（図１１、図１２参照）。
【００５９】
コンタクト収容部２３１の２つの側板部２３１ｂには、切欠き２３１ｇと孔３１ｄと突出部３１ｅ（第１制限部）とが設けられている。切欠き２３１ｇは接続対象物挿入口３１ｊからコンタクト２の第１接触部２２よりも後方へ延びている。孔３１ｄは切欠き２３１ｇよりも接続部３２側に位置している。突出部３１ｅは孔３１ｄの後端に位置する。突出部３１ｅはコンタクト収容部３１内に突出するように折り曲げられている。
【００６０】
コンタクト２を導電性ホルダ２０３に組み付けるには、まず、コンタクト２を導電性ホルダ２０３のコンタクト収容部２３１に挿入する（図１２参照）。
【００６１】
次に、突出部２３１ｈ，２３１ｉが接続対象物挿入口３１ｊに突出するように突出部２３１ｈ，２３１ｉを折り曲げる（図１３参照）。
【００６２】
図１４に示すように、第１ブスバー５１をコネクタ２０１に挿入すると、第１ブスバー５１は第１接触部２２の一方側第１接点部２２ａ１と他方側第１接点部２２ａ２とで挟まれた状態で支持され、導電性ホルダ２０３を介して第１ブスバー５１が第２ブスバー５２に電気的に接続される。第１ブスバー５１をコネクタ２０１に挿入したとき、コンタクト２は第１ブスバー５１とともに導電性ホルダ３のコンタクト収容部２３１から挿入方向ＤＩへ移動しようとするが、コンタクト２の連結部２１ｉが突出部３１ｅに突き当たるので、コンタクト２が導電性ホルダ２０３のコンタクト収容部２３１から抜けない。
【００６３】
第１ブスバー５１をコネクタ２０１から引き抜くとき、コンタクト２は第１ブスバー５１とともに挿入方向ＤＩと反対方向へ移動しようとするが、コンタクト２の第１接触部２２が突出部２３１ｈ，２３１ｉの少なくとも一方に突き当たるので、コンタクト２の動きが制限される。
【００６４】
第１実施形態では、コンタクト２を導電性ホルダ３のコンタクト収容部３１に挿入するとき、コンタクト２が導電性ホルダ３の突出部３１ｈ，３１ｉによって圧縮されるので、突出部３１ｈ，３１ｉの突出量を大きくすると、コンタクト２が塑性変形するおそれがある。これに対し、第２実施形態では、突出部２３１ｈ，２３１ｉはコンタクト２がコンタクト収容部２３１に挿入された後に折り曲げられるので、コンタクト２をコンタクト収容部２３１に挿入するとき、突出部２３１ｈ，２３１ｉによってコンタクト２が過度に圧縮されない。したがって、突出部２３１ｈ，２３１ｉの突出量を第１実施形態よりも大きくすることができ、コンタクト２のコンタクト収容部２３１からの抜けをより確実に防ぐことができる。
【００６５】
次に、この発明の第３実施形態のコネクタ３０１を図１５〜図２５に基づいて説明する。
【００６６】
第１実施形態と共通する部分については同一符号を付してその説明を省略する。以下、第１実施形態との主な相違部分についてだけ説明する。
【００６７】
図１５、図１６に示すように、コンタクト３０２は受容部３２１と第１接触部３２２と第２接触部３２３とを有する。コンタクト３０２は導電性及び弾性を有する金属板に打抜き加工及び曲げ加工を施すことによって形成されている。
【００６８】
受容部３２１は第１ブスバー５１を受け容れる。受容部３２１は下板部３２１ａと２つの側板部３２１ｂと上板部３２１ｃとを有する。下板部３２１ａ、２つの側板部３２１ｂ、上板部３２１ｃはいずれもほぼ矩形である。上板部３２１ｃの一端部は一方の側板部３２１ｂの上端部に連なる。上板部３２１ｃの他端部には突部３２１ｄが設けられている。突部３２１ｄは他方の側板部３２１ｂの上端部に設けられた切欠き３２１ｅに嵌る。上板部３２１ｃは下板部３２１ａとほぼ平行である。２つの側板部３２１ｂの前部（コンタクト３０２の第２接触部３２３側がコンタクト３０２の前側）には突出部（第２制限部）３２１ｆがそれぞれ設けられている。２つの突出部３２１ｆはそれぞれ折り曲げられ、突出部３２１ｆの先端部が側板部３２１ｂよりも外側に位置する。
【００６９】
第１接触部３２２は、４つの一方側第１ばね部３２２ｂ１と、この４つの一方側第１ばね部３２２ｂ１とそれぞれ対向する４つの他方側第１ばね部３２２ｂ２と、４つの一方側第１ばね部３２２ｂ１にそれぞれ連なる４つの一方側第１接点部３２２ａ１と、４つの他方側第１ばね部３２２ｂ２にそれぞれ連なる４つの他方側第１接点部３２２ａ２とを有する。４つの一方側第１接点部３２２ａ１と４つの他方側第１接点部３２２ａ２とは上下方向ＤＵで対向する。４つの一方側第１接点部３２２ａ１と４つの他方側第１接点部３２２ａ２とはそれぞれ左右方向ＤＬに沿って配列されている。４つの一方側第１ばね部３２２ｂ１は下板部３２１ａの後端にそれぞれ連なる。４つの他方側第１ばね部３２２ｂ２は上板部３２１ｃの後端にそれぞれ連なる。一方側第１ばね部３２２ｂ１と他方側第１ばね部３２２ｂ２とは互いに近づくように折り曲げられている（図１８参照）。
【００７０】
第２接触部３２３は、４つの一方側第２ばね部３２３ｂ１と、この４つの一方側第２ばね部３２３ｂ１と対向する４つの他方側第２ばね部３２３ｂ２と、４つの一方側第２ばね部３２３ｂ１にそれぞれ連なる４つの一方側第２接点部３２３ａ１と、４つの他方側第２ばね部３２３ｂ２にそれぞれ連なる４つの他方側第２接点部３２３ａ２とを有する。４つの一方側第２接点部３２３ａ１と４つの他方側第２接点部３２３ａ２とは上下方向Ｄ上下方向ＤＵで対向する。４つの一方側第２接点部３２３ａ１と４つの他方側第２接点部３２３ａ２とはそれぞれ左右方向ＤＬに沿って配列されている。４つの一方側第２ばね部３２３ｂ１は下板部３２１ａの前端にそれぞれ連なる。４つの他方側第２ばね部３２３ｂ２は上板部３２１ｃの前端にそれぞれ連なる。一方側第２ばね部３２３ｂ１と他方側第２ばね部３２３ｂ２とは互いに離れるように折り曲げられている。
【００７１】
導電性ホルダ３０３はコンタクト収容部３３１と接続部３２とを有する。導電性ホルダ３０３は導電性を有する金属板に打抜き加工及び曲げ加工を施すことによって形成されている。
【００７２】
コンタクト収容部３３１は角筒状である。コンタクト収容部３３１は下板部３３１ａと２つの側板部３３１ｂと上板部３３１ｃとを有する。下板部３３１ａ、２つの側板部３３１ｂ、上板部３３１ｃはいずれも矩形である。２つの側板部３３１ｂは下板部３３１ａの両側部にそれぞれ連なる。２つの側板部３３１ｂは下板部３３１ａに対してそれぞれほぼ直角に折り曲げられている。上板部３３１ｃは下板部３３１ａとほぼ平行である。上板部３３１ｃの中央部には挿入方向ＤＩへ延びる合わせ目３３１ｋがある。上板部３３１ｃの両側部は２つの側板部３３１ｂの上端にそれぞれ連なる。
【００７３】
２つの側板部３３１ｂには孔（第２制限部）３３１ｄと突出部（第１制限部）３１ｅがそれぞれ設けられている。２つの突出部３１ｅはコンタクト収容部３３１内に突出するようにそれぞれ折り曲げられている。
【００７４】
コンタクト３０２を導電性ホルダ３０３に組み付けるには、図１６に示すように、第１ブスバー５１の挿入方向ＤＩに沿ってコンタクト３０２を導電性ホルダ３０３のコンタクト収容部３３１に挿入すればよい。
【００７５】
このとき、コンタクト３０２の突出部３２１ｆは導電性ホルダ３０３の側板部３３１ｂの前端部によって押され、受容部３２１の中心部の方へ弾性変形する。突出部３２１ｆが側板部３３１ｂの前端部を通過すると、突出部３２１ｆの先端部が孔３３１ｄ内に入る。
【００７６】
コンタクト３０２が導電性ホルダ３０３のコンタクト収容部３３１に収容されると、コンタクト３０２の一方側第２ばね部３２３ｂ１と他方側第２ばね部３２３ｂ２とが上下方向ＤＵで圧縮された状態にあるので、コンタクト３０２の一方側第２接点部３２３ａ１と他方側第２接点部３２３ａ２とはコンタクト収容部３３１の下板部３３１ａと上板部３３１ｃとに接触する。コンタクト収容部３３１内に収容されたコンタクト３０２は揺動可能である。この実施形態では、コンタクト３０２は挿入方向ＤＩと平行な前後方向へわずかに移動可能であるとともに、左右方向ＤＬと平行な軸周りへ回転可能である（図２１参照）。
【００７７】
図１７、図１８、図１９、図２０に示すように、コネクタ３０１の導電性ホルダ３０３の接続部３２にボルト５３とナット５４とによって接続された第２ブスバー５２に、第１ブスバー５１を電気的に接続するには、第１ブスバー５１をコネクタ３０１の正面から導電性ホルダ３０３のコンタクト収容部３３１に挿入すればよい。
【００７８】
このとき、コンタクト３０２は第１ブスバー５１とともに導電性ホルダ３０３のコンタクト収容部３３１から挿入方ＤＩへ移動しようとするが、コンタクト３０２の側板部３２１ｂの後端が突出部３１ｅに突き当たるので、コンタクト３０２が導電性ホルダ３０３のコンタクト収容部３３１から抜けない。
【００７９】
コンタクト３０２の受容部３２１に挿入された第１ブスバー５１は一方側第１接点部３２２ａ１と他方側第１接点部３２２ａ２とで挟まれた状態で支持され、コンタクト３０２及び導電性ホルダ３０３を介して第１ブスバー５１が第２ブスバー５２に電気的に接続される。
【００８０】
第１ブスバー５１をコネクタ３０１から引き抜くとき、コンタクト３０２は第１ブスバー５１とともに導電性ホルダ３０３のコンタクト収容部３３１から挿入方向ＤＩと反対方向へ移動しようとするが、コンタクト３０２の突出部３２１ｆがコンタクト収容部３３１の孔３３１ｄの前端に突き当たるので、コンタクト３０２が導電性ホルダ３のコンタクト収容部３３１から抜けない。
【００８１】
図２１に示すように、コネクタ３０１に対する第１ブスバー５１の位置が標準位置（図２０に示す第１ブスバー５１の位置）よりも上方へずれている状態で、第１ブスバー５１がコンタクト３０２の受容部３２１に挿入されると、コンタクト３０２の他方側第１接点部３２２ａ２が第１ブスバー５１によって押され、コンタクト３０２がコンタクト収容部３３１内で回転する。その結果、第１ブスバー５１の位置ずれが吸収され、第１ブスバー５１の上下方向ＤＵの位置ずれがないときと同様に、一方側第１接点部３２２ａ１は第１ブスバー５１に確実に接触し、他方側第１ばね部３２２ｂ２は塑性変形せず、他方側第１接点部３２２ａ２は第１ブスバー５１に確実に接触する。
【００８２】
図２２に示すように、第１ブスバー５１がコネクタ３０１の左右方向ＤＬの中央部に位置するとき、コンタクト３０２のすべての一方側第１接点部３２２ａ１とすべての他方側第１接点部３２２ａ２とは第１ブスバー５１に接触している。
【００８３】
図２３に示すように、この実施形態では、コンタクト３０２に対して第１ブスバー５１がコネクタ３０１の左右方向ＤＬでずれていても、コンタクト３０２のすべての一方側第１接点部３２２ａ１とすべての他方側第１接点部３２２ａ２とが第１ブスバー５１に接触するように、コンタクト３０２の受容部３２１の幅が設定されている。
【００８４】
なお、図２４に示すように、第２接続対象物としては第２ブスバー５２以外に例えばケーブル５５がある。ケーブル５５に接続された丸形端子５６が、導電性ホルダ３０３の接続部３２に、ボルト５３、ナット５４を用いて接続されている。
【００８５】
第３実施形態によれば、コネクタ３０１に対して第１ブスバー５１が上下方向ＤＵでずれていても、コンタクト３０２が揺動して第１ブスバー５１の位置ずれが吸収され、コンタクト３０２と第１ブスバー５１との接触箇所が減少しないので、コネクタ３０１の通電電流値が小さくならない。また、複数の一方側第１接点部３２２ａ１、複数の他方側第１接点部３２２ａ２等を有する１つのコンタクト３０２と、このコンタクト３０２を収容する１つの導電性ホルダ３０３とでコネクタ３０１を構成したので、コネクタ３０１の部品点数が少なく、コネクタ３０１の部品の管理やコネクタ３０１の組立が容易である。
【００８６】
次に、この発明の第３実施形態のコネクタ３０１の変形例を図２５に基づいて説明する。
【００８７】
第３実施形態と共通する部分については同一符号を付してその説明を省略する。以下、第３実施形態との主な相違部分についてだけ説明する。
【００８８】
図２５に示すように、この変形例では、導電性ホルダ３０３のコンタクト収容部３３１の下板部３３１ａの下面に２つの位置決めボス（位置決め用突起部）３１ｆが設けられている。
【００８９】
この変形例では、コンタクト収容部３３１の下板部３３１ａの下面に第２ブスバー５２を配置するとき、第２ブスバー５２に設けられた２つの孔（図示せず）をコンタクト収容部３３１の下板部３３１ａの位置決めボス３１ｆに嵌め合わせて、第２ブスバー５２を位置決めできる。
【００９０】
なお、上述の実施形態では、一方側第１接点部、他方側第１接点部としてそれぞれ４つの一方側第１接点部２２ａ１，３２２ａ１、４つの他方側第１接点部２２ａ２，３２２ａ２を採用したが、一方側第１接点部、他方側第１接点部の数はそれぞれ４に限られない（例えば８つでもよい）。また、一方側第１ばね部、他方側第１ばね部としてそれぞれ４つの一方側第１ばね部２２ｂ１，３２２ｂ１、４つの他方側第１ばね部２２ｂ２，３２２ｂ２を採用したが、一方側第１ばね部、他方側第１ばね部の数はそれぞれ４に限られない（例えば８つでもよい）。一方側第１接点部、他方側第１接点部、一方側第１ばね部、他方側第１ばね部のそれぞれの数はコネクタの通電電流値に応じて決定される。同様に、一方側第２接点部、他方側第２接点部としてそれぞれ４つの一方側第２接点部２３ａ１，３２３ａ１、４つの他方側第２接点部２３ａ２，３２３ａ２を採用したが、一方側第２接点部、他方側第２接点部の数はそれぞれ４に限られない（例えば８つでもよい）。また、一方側第２ばね部、他方側第２ばね部としてそれぞれ４つの一方側第２ばね部２３ｂ１，３２３ｂ１、４つの他方側第２ばね部２３ｂ２，３２３ｂ２を採用したが、一方側第２ばね部、他方側第２ばね部の数はそれぞれ４に限られない（例えば８つでもよい）。一方側第２接点部、他方側第２接点部、一方側第２ばね部、他方側第２ばね部のそれぞれの数はコネクタの通電電流値に応じて決定される。
【００９１】
次に、この発明の第４実施形態のコネクタ４０１を図２６、図２７に基づいて説明する。
【００９２】
第１実施形態と共通する部分については同一符号を付してその説明を省略する。以下、第１実施形態との主な相違部分についてだけ説明する。
【００９３】
第１実施形態では、コネクタ１のコンタクト２の第１接触部２２は、４つの一方側第１ばね部２２ｂ１と、この４つの一方側第１ばね部２２ｂ１と上下方向ＤＵで対向する４つの他方側第１ばね部２２ｂ２と、４つの一方側第１ばね部２２ｂ１にそれぞれ連なる４つの一方側第１接点部２２ａ１と、４つの他方側第１ばね部２２ｂ２にそれぞれ連なる４つの他方側第１接点部２２ａ２とを有する。これに対し、第４実施形態では、コネクタ４０１のコンタクト４０２の第１接触部２２は、１つの一方側第１ばね部４２２ｂ１と、この１つの一方側第１ばね部４２２ｂ１と上下方向ＤＵで対向する１つの他方側第１ばね部４２２ｂ２と、１つの一方側第１ばね部４２２ｂ１に連なる１つの一方側第１接点部４２２ａ１と、１つの他方側第１ばね部４２２ｂ２に連なる１つの他方側第１接点部４２２ａ２とを有する。一方側第１接点部４２２ａ１と他方側第１接点部４２２ａ２とは上下方向ＤＵで対向する。
【００９４】
また、第１実施形態では、コネクタ１のコンタクト２の第２接触部２３は、下片部２１ｇの前端にそれぞれ連なる４つの一方側第２ばね部２３ｂ１と、上片部２１ｈの前端にそれぞれ連なる４つの他方側第２ばね部２３ｂ２と、４つの一方側第２ばね部２３ｂ１にそれぞれ連なる４つの一方側第２接点部２３ａ１と、４つの他方側第２ばね部２３ｂ２にそれぞれ連なる４つの他方側第２接点部２３ａ２とを有する。これに対し、第４実施形態では、コネクタ４０１のコンタクト４０２の第２接触部４２３は、下片部２１ｇの前端に連なる１つの一方側第２ばね部４２３ｂ１と、上片部２１ｈの前端に連なる１つの他方側第２ばね部４２３ｂ２と、１つの一方側第２ばね部４２３ｂ１に連なる１つの一方側第２接点部４２３ａ１と、１つの他方側第２ばね部４２３ｂ２に連なる１つの他方側第２接点部４２３ａ２とを有する。一方側第２ばね部４２３ｂ１と他方側第２ばね部４２３ｂ２とは上下方向ＤＵで対向する。一方側第２接点部４２３ａ１と他方側第２接点部４２３ａ２とは上下方向ＤＵで対向する。
【００９５】
一方側第１接点部４２２ａ１の左右方向ＤＬの幅、一方側第１ばね部４２２ｂ１の左右方向ＤＬの幅、他方側第１接点部４２２ａ２の左右方向ＤＬの幅、他方側第１ばね部４２２ｂ２の左右方向ＤＬの幅は等しい。それらの幅はそれぞれコネクタ４０１の所定の通電電流値に応じて決定されたものである。
【００９６】
一方側第２接点部４２３ａ１の左右方向ＤＬの幅、一方側第２ばね部４２３ｂ１の左右方向ＤＬの幅、他方側第２接点部４２３ａ２の左右方向ＤＬの幅、他方側第２ばね部４２３ｂ２の左右方向ＤＬの幅は等しい。それらの幅はそれぞれコネクタ４０１の所定の通電電流値に応じて決定されたものである。
【００９７】
第４実施形態では、第１接触部４２２の一方側第１接点部４２２ａ１、他方側第１接点部４２２ａ２、一方側第１ばね部４２２ｂ１、他方側第１ばね部４２２ｂ２がそれぞれ１つであり、第２接触部４２３の一方側第２接点部４２３ａ１、他方側第２接点部４２３ａ２、一方側第２ばね部４２３ｂ１、他方側第２ばね部４２３ｂ２がそれぞれ１つである。
【００９８】
しかし、一方側第１接点部４２２ａ１の左右方向ＤＬの幅は、第１実施形態の４つの一方側第１接点部２２ａ１の左右方向ＤＬの幅の総和より少し大きい。他方側第１接点部４２２ａ２の左右方向ＤＬの幅は、第１実施形態の４つの他方側第１接点部２２ａ２の左右方向ＤＬの幅の総和より少し大きい。一方側第１ばね部４２２ｂ１の左右方向ＤＬの幅は、第１実施形態の４つの一方側第１ばね部２２ｂ１の左右方向ＤＬの幅の総和より少し大きい。他方側第１ばね部４２２ｂ２の左右方向ＤＬの幅は、第１実施形態の４つの他方側第１ばね部２２ｂ２の左右方向ＤＬの幅の総和より少し大きい。一方側第２接点部４２３ａ１の左右方向ＤＬの幅は、第１実施形態の４つの一方側第２接点部２３ａ１の左右方向ＤＬの幅の総和より少し大きい。他方側第２接点部４２３ａ２の左右方向ＤＬの幅は、第１実施形態の４つの他方側第２接点部２３ａ２の左右方向ＤＬの幅の総和より少し大きい。一方側第２ばね部４２３ｂ１の左右方向ＤＬの幅は、第１実施形態の４つの一方側第２ばね部２３ｂ１の左右方向ＤＬの幅の総和より少し大きい。他方側第２ばね部４２３ｂ２の左右方向ＤＬの幅は、第１実施形態の４つの他方側第２ばね部２３ｂ２の左右方向ＤＬの幅の総和より少し大きい。
【００９９】
したがって、第４実施形態のコネクタ４０１は第１実施形態のコネクタ１と同等以上の接触面積（コンタクト４０２と第１ブスバー５１やコンタクト収容部３１との接触の面積）、通電電流値を確保することができる。
【０１００】
第４実施形態は第１実施形態と同様の作用効果を奏する。
【０１０１】
次に、この発明の第５実施形態のコネクタ５０１を図２８、図２９に基づいて説明する。
【０１０２】
第３実施形態と共通する部分については同一符号を付してその説明を省略する。以下、第３実施形態との主な相違部分についてだけ説明する。
【０１０３】
第３実施形態では、コネクタ３０１のコンタクト３０２の第１接触部３２２は、４つの一方側第１ばね部３２２ｂ１と、この４つの一方側第１ばね部３２２ｂ１と上下方向ＤＵで対向する４つの他方側第１ばね部３２２ｂ２と、４つの一方側第１ばね部３２２ｂ１にそれぞれ連なる４つの一方側第１接点部３２２ａ１と、４つの他方側第１ばね部３２２ｂ２にそれぞれ連なる４つの他方側第１接点部３２２ａ２とを有する。これに対し、第５実施形態では、コネクタ５０１のコンタクト５０２の第１接触部５２２は、１つの一方側第１ばね部５２２ｂ１と、この１つの一方側第１ばね部５２２ｂ１と上下方向ＤＵで対向する１つの他方側第１ばね部５２２ｂ２と、１つの一方側第１ばね部５２２ｂ１に連なる１つの一方側第１接点部５２２ａ１と、１つの他方側第１ばね部５２２ｂ２に連なる１つの他方側第１接点部５２２ａ２とを有する。一方側第１ばね部５２２ｂ１は下板部３２１ａの後端に連なる。他方側第１ばね部３２２ｂ２は上板部３２１ｃの後端に連なる。一方側第１ばね部５２２ｂ１と他方側第１ばね部５２２ｂ２とは互いに近づくように折り曲げられている（図２９参照）。一方側第１接点部５２２ａ１と他方側第１接点部５２２ａ２とは上下方向ＤＵで対向する。
【０１０４】
また、第３実施形態では、コネクタ３０１のコンタクト３０２の第２接触部３２３は、４つの一方側第２ばね部３２３ｂ１と、この４つの一方側第２ばね部３２３ｂ１と上下方向ＤＵで対向する４つの他方側第２ばね部３２３ｂ２と、４つの一方側第２ばね部３２３ｂ１にそれぞれ連なる４つの一方側第２接点部３２３ａ１と、４つの他方側第２ばね部３２３ｂ２にそれぞれ連なる４つの他方側第２接点部３２３ａ２とを有する。これに対し、第５実施形態では、コネクタ５０１のコンタクト５０２の第２接触部５２３は、１つの一方側第２ばね部５２３ｂ１と、この１つの一方側第２ばね部５２３ｂ１と上下方向ＤＵで対向する１つの他方側第２ばね部５２３ｂ２と、１つの一方側第２ばね部５２３ｂ１に連なる１つの一方側第２接点部５２３ａ１と、１つの他方側第２ばね部５２３ｂ２に連なる１つの他方側第２接点部５２３ａ２とを有する。一方側第２ばね部５２３ｂ１は下板部３２１ａの前端に連なる。他方側第２ばね部５２３ｂ２は上板部３２１ｃの前端に連なる。一方側第２ばね部５２３ｂ１と他方側第２ばね部５２３ｂ２とは互いに離れるように折り曲げられている（図２９参照）。一方側第２接点部５２３ａ１と他方側第２接点部５２３ａ２とは上下方向ＤＵで対向する。
【０１０５】
一方側第１接点部５２２ａ１の左右方向ＤＬの幅（第１の所定幅）と一方側第１ばね部５２２ｂ１の左右方向ＤＬの幅とは等しい。他方側第１接点部５２２ａ２の左右方向ＤＬの幅と他方側第１ばね部５２２ｂ２の左右方向ＤＬの幅とは等しい。一方側第１接点部５２２ａ１の左右方向ＤＬの幅と他方側第１接点部５２２ａ２の左右方向ＤＬの幅とは等しい。第４実施形態と同様に、一方側第１接点部５２２ａ１の左右方向ＤＬの幅、一方側第１ばね部５２２ｂ１の左右方向ＤＬの幅、他方側第１接点部５２２ａ２の左右方向ＤＬの幅、他方側第１ばね部５２２ｂ２の左右方向ＤＬの幅はそれぞれコネクタ５０１の所定の通電電流値に応じて決定されたものである。
【０１０６】
一方側第２接点部５２３ａ１の左右方向ＤＬの幅（第２の所定幅）と一方側第２ばね部５２３ｂ１の左右方向ＤＬの幅とは等しい。他方側第２接点部５２３ａ２の左右方向ＤＬの幅と他方側第２ばね部５２３ｂ２の左右方向ＤＬの幅とは等しい。一方側第２接点部５２３ａ１の左右方向ＤＬの幅と他方側第２接点部５２３ａ２の左右方向ＤＬの幅とは等しい。第４実施形態と同様に、一方側第２接点部５２３ａ１の左右方向ＤＬの幅、一方側第２ばね部５２３ｂ１の左右方向ＤＬの幅、他方側第２接点部５２３ａ２の左右方向ＤＬの幅、他方側第２ばね部５２３ｂ２の左右方向ＤＬの幅はそれぞれコネクタ５０１の所定の通電電流値に応じて決定されたものである。
【０１０７】
第５実施形態では、第１接触部５２２の一方側第１接点部５２２ａ１、他方側第１接点部５２２ａ２、一方側第１ばね部５２２ｂ１、他方側第１ばね部５２２ｂ２がそれぞれ１つであり、第２接触部５２３の一方側第２接点部５２３ａ１、他方側第２接点部５２３ａ２、一方側第２ばね部５２３ｂ１、他方側第２ばね部５２３ｂ２がそれぞれ１つである。
【０１０８】
しかし、一方側第１接点部５２２ａ１の左右方向ＤＬの幅は、第３実施形態の４つの一方側第１接点部３２２ａ１の左右方向ＤＬの幅の総和より少し大きい。他方側第１接点部５２２ａ２の左右方向ＤＬの幅は、第３実施形態の４つの他方側第１接点部３２２ａ２の左右方向ＤＬの幅の総和より少し大きい。一方側第１ばね部５２２ｂ１の左右方向ＤＬの幅は、第３実施形態の４つの一方側第１ばね部３２２ｂ１の左右方向ＤＬの幅の総和より少し大きい。他方側第１ばね部５２２ｂ２の左右方向ＤＬの幅は、第３実施形態の４つの他方側第１ばね部３２２ｂ２の左右方向ＤＬの幅の総和より少し大きい。一方側第２接点部５２３ａ１の左右方向ＤＬの幅は、第３実施形態の４つの一方側第２接点部３２３ａ１の左右方向ＤＬの幅の総和より少し大きい。他方側第２接点部５２３ａ２の左右方向ＤＬの幅は、第３実施形態の４つの他方側第２接点部３２３ａ２の左右方向ＤＬの幅の総和より少し大きい。一方側第２ばね部５２３ｂ１の左右方向ＤＬの幅は、第３実施形態の４つの一方側第２ばね部３２３ｂ１の左右方向ＤＬの幅の総和より少し大きい。他方側第２ばね部５２３ｂ２の左右方向ＤＬの幅は、第３実施形態の４つの他方側第２ばね部３２３ｂ２の左右方向ＤＬの幅の総和より少し大きい。
【０１０９】
したがって、第５実施形態のコネクタ５０１は第３実施形態のコネクタ３０１と同等以上の接触面積（コンタクト５０２と第１ブスバー５１やコンタクト収容部３３１との接触の面積）、通電電流値を確保することができる。
【０１１０】
第５実施形態は第３実施形態と同様の作用効果を奏する。
【０１１１】
なお、上述の実施形態では、第１制限部として突出部３１ｅを採用したが、第１制限部は突出部３１ｅに限られない。
【０１１２】
また、上述の実施形態では、第２制限部として突出部３１ｈ，３１ｉ，２３１ｈ，２３１ｉ、孔３３１ｄ、突出部３２１ｆ等を採用したが、第２制限部としてはこれらに限られない。
【０１１３】
なお、上述の実施形態のコンタクト収容部３１，２３１，３３１はいずれも角筒状であるが、コンタクト収容部の形状は角筒状に限られず、例えば円筒状でもよいし、筒状以外の形状でもよい。
【０１１４】
また、上述の実施形態では、ボルト５３、ナット５４によって第２ブスバー５２を導電性ホルダ３，２０３，３０３の接続部３２に接続したが、第２ブスバー５２の接続手段はボルト５３、ナット５４に限られず、半田付け等でもよい。この場合接続部３２のボルト通し孔３２ｂは不要になる。
【符号の説明】
【０１１５】
１，２０１，３０１，４０１，５０１：コネクタ、２，３０２，４０２，５０２：コンタクト、２１，３２１：受容部、２１ｇ：下片部、２１ｈ：上片部、２１ｉ：連結部、３２１ａ：下板部、３２１ｂ：側板部、３２１ｃ：上板部、３２１ｄ：突部、３２１ｅ：切欠き、３２１ｆ：突出部（第２制限部）、２２，３２２，４２２，５２２：第１接触部、２２ａ１，３２２ａ１，４２２ａ１，５２２ａ１：一方側第１接点部、２２ａ２，３２２ａ２，４２２ａ２，５２２ａ２：他方側第１接点部、２２ｂ１，３２２ｂ１，４２２ｂ１，５２２ｂ１：一方側第１ばね部、２２ｂ２，３２２ｂ２，４２２ｂ２，５２２ｂ２：他方側第１ばね部、２３，３２３，４２３，５２３：第２接触部、２３ａ１，３２３ａ１，４２３ａ１，５２３ａ１：一方側第２接点部、２３ａ２，３２３ａ２，４２３ａ２，５２３ａ２：他方側第２接点部、２３ｂ１，３２３ｂ１，４２３ｂ１，５２３ｂ１：一方側第２ばね部、２３ｂ２，３２３ｂ２，４２３ｂ２，５２３ｂ２：他方側第２ばね部、３，２０３，３０３：導電性ホルダ、３１，２３１，３３１：コンタクト収容部、３１ａ，２３１ａ，３３１ａ：下板部、３１ｂ，２３１ｂ，３３１ｂ：側板部、３１ｃ，２３１ｃ，３３１ｃ：上板部、３１ｄ：孔、３３１ｄ：孔（第２制限部）、３１ｅ：突出部（第１制限部）、３１ｆ：位置決めボス（位置決め用突起部）、３１ｇ，２３１ｇ：切欠き、３１ｈ，２３１ｈ：突出部（第２制限部）、３１ｉ：２３１ｉ：突出部（第２制限部）、３１ｊ：接続対象物挿入口、３１ｋ，３３１ｋ：合わせ目、３２：接続部、３２ａ：平板部、３２ｂ：ボルト通し孔、３３：側板部、５１：第１ブスバー（第１接続対象物）、５２：第２ブスバー（第２接続対象物）、５３：ボルト、５４：ナット、５５：ケーブル、５６：丸形端子、ＤＩ：挿入方向、ＤＵ：上下方向、ＤＬ：左右方向。
【図１】
2013218837.tif 000003
【図２】
2013218837.tif 000004
【図３】
2013218837.tif 000005
【図４】
2013218837.tif 000006
【図５】
2013218837.tif 000007
【図６】
2013218837.tif 000008
【図７】
2013218837.tif 000009
【図８】
2013218837.tif 000010
【図９】
2013218837.tif 000011
【図１０】
2013218837.tif 000012
【図１１】
2013218837.tif 000013
【図１２】
2013218837.tif 000014
【図１３】
2013218837.tif 000015
【図１４】
2013218837.tif 000016
【図１５】
2013218837.tif 000017
【図１６】
2013218837.tif 000018
【図１７】
2013218837.tif 000019
【図１８】
2013218837.tif 000020
【図１９】
2013218837.tif 000021
【図２０】
2013218837.tif 000022
【図２１】
2013218837.tif 000023
【図２２】
2013218837.tif 000024
【図２３】
2013218837.tif 000025
【図２４】
2013218837.tif 000026
【図２５】
2013218837.tif 000027
【図２６】
2013218837.tif 000028
【図２７】
2013218837.tif 000029
【図２８】
2013218837.tif 000030
【図２９】
2013218837.tif 000031
【図３０】
2013218837.tif 000032
【図３１】
2013218837.tif 000033